(57)【特許請求の範囲】
【請求項１】
オス端子と、該オス端子の一部を収容する筒状部を有する第１ターミナルハウジングと、を有し、前記オス端子が前記第１ターミナルハウジングの開口部に臨むように収容されたオス側コネクタ部と、
前記オス端子と接続されるメス端子と該メス端子を収容する第２ターミナルハウジングとを備えたメス側コネクタ部とからなり、
前記オス側コネクタ部と前記メス側コネクタ部とを嵌合させると前記オス端子と前記メス端子とが電気的に接続されるコネクタにおいて、
前記オス側コネクタ部と前記メス側コネクタ部との未嵌合時に、前記第１ターミナルハウジングの開口部に臨む前記筒状部に収容された前記オス端子の一部への異物の接触を抑止すべく、前記筒状部に収容された前記オス端子の一部に密着して設けられた絶縁体を備え、
前記筒状部に収容された前記オス端子の一部の前記絶縁体と密着される面には、前記絶縁体との接触面積を広くするための溝が形成されたことを特徴とするコネクタ。
【請求項２】
前記オス端子は、嵌合方向に沿って金属板の両側を垂直に折り曲げて、底部と該底部の両側にそれぞれ形成された側壁部とからなる断面コの字状に形成され、
前記絶縁体は、前記側壁部の外側側面及び／又は上面を覆うように密着して設けられることを特徴とする請求項１に記載のコネクタ。
【請求項３】
前記側壁部の上面には、嵌合方向に沿って円弧状の凹凸が順次繰り返される波形状に形成された波溝が形成されることを特徴とする請求項２に記載のコネクタ。
【請求項４】
前記側壁部の外側側面には、嵌合方向に垂直な垂直溝が形成されることを特徴とする請求項２又は３に記載のコネクタ。
【請求項５】
前記側壁部の外側側面には、交差する複数の異方向溝が形成されることを特徴とする請求項２に記載のコネクタ。
【請求項６】
前記側壁部の外側側面及び／又は上面には、嵌合方向に沿って断続的に形成された凹溝が形成されることを特徴とする請求項２に記載のコネクタ。
【発明の詳細な説明】
【技術分野】
【０００１】
本発明は、例えば、ハイブリット車、電気自動車などに用いられ、特に、大容量の電力を伝達する際に用いられる電力ハーネスのコネクタに採用される可能性がある技術であって、オス端子を備えるオス側コネクタ部において、該オス端子に手、指等の異物が直接、触れ難くする所謂、「タッチプロテクト」という技術に関する。
【背景技術】
【０００２】
近年、著しい進歩を遂げている、例えば、ハイブリット車、電気自動車などにおいて、モータとインバータとの間、又はインバータとバッテリーとの間のように、機器間を接続する大容量の電力を伝達する際に用いられる電力ハーネスは、その一端側には、例えば、オス端子と該オス端子を収納する第１ターミナルハウジングを備えるオス側コネクタ部と、前記オス端子と接続されるメス端子と該メス端子を収納する第２ターミナルハウジングを備えるメス側コネクタ部との２分割構成のコネクタが備えられている。
【０００３】
しかして、オス側コネクタ部のオス端子に手、指等の異物が直接、触れ難くする所謂、「タッチプロテクト」という技術がある（例えば、特許文献１乃至４）。
【先行技術文献】
【特許文献】
【０００４】
【特許文献１】特開２００８−１０８６７５号公報
【特許文献２】特開２０００−３７５０号公報
【特許文献３】特開昭６３−１９０２６９号公報
【特許文献４】特開２０１０−１１４０１３号公報
【発明の概要】
【発明が解決しようとする課題】
【０００５】
上述した特許文献で開示される技術は、オス端子の先端部に絶縁体を備える技術であるが、以下の問題があった。
【０００６】
その問題とは、オス端子とその先端部に備えられた絶縁体の密着性に関する問題であって、オス端子又はその先端部の絶縁体が、近年の小型化の要求に伴って小さく又は薄く形成されることにより、オス端子と絶縁体との接触面積が小さくなり、オス端子と絶縁体との密着性を好適に保つことができず、オス端子の先端部から絶縁体が剥離してしまいタッチプロテクトとしての機能を十分に果たせないといった問題があった。
【０００７】
そこで、本発明は、上述した事情に鑑み為されたもので、例え、絶縁体が薄くても、オス端子と絶縁体との密着性に優れた技術を提供することで、オス端子のサイズアップを抑えつつ、強度の強いタッチプロテクトを実現することを目的とする。
【課題を解決するための手段】
【０００８】
前記目的を達成するために創案された本発明は、オス端子と、該オス端子の一部を収容する筒状部を有する第１ターミナルハウジングと、を有し、前記オス端子が前記第１ターミナルハウジングの開口部に臨むように収容されたオス側コネクタ部と、前記オス端子と接続されるメス端子と該メス端子を収容する第２ターミナルハウジングとを備えたメス側コネクタ部とからなり、前記オス側コネクタ部と前記メス側コネクタ部とを嵌合させると前記オス端子と前記メス端子とが電気的に接続されるコネクタにおいて、前記オス側コネクタ部と前記メス側コネクタ部との未嵌合時に、前記第１ターミナルハウジングの開口部に臨む前記筒状部に収容された前記オス端子の一部への異物の接触を抑止すべく、前記筒状部に収容された前記オス端子の一部に密着して設けられた絶縁体を備え、前記筒状部に収容された前記オス端子の一部の前記絶縁体と密着される面には、前記絶縁体との接触面積を広くするための溝が形成されたことを特徴とするコネクタである。
【０００９】
前記オス端子は、嵌合方向に沿って金属板の両側を垂直に折り曲げて、底部と該底部の両側にそれぞれ形成された側壁部とからなる断面コの字状に形成され、前記絶縁体は、前記側壁部の外側側面及び／又は上面を覆うように密着して設けられると良い。
【００１０】
前記側壁部の上面には、嵌合方向に沿って円弧状の凹凸が順次繰り返される波形状に形成された波溝が形成されても良い。
【００１１】
前記側壁部の外側側面には、嵌合方向に垂直な垂直溝が形成されても良い。
【００１２】
前記側壁部の外側側面には、交差する複数の異方向溝が形成されても良い。
【００１３】
前記側壁部の外側側面及び／又は上面には、嵌合方向に沿って断続的に形成された凹溝が形成されても良い。
【発明の効果】
【００１４】
本発明によれば、例え、絶縁体が薄くても、オス端子と絶縁体との密着性に優れた技術を提供することで、オス端子のサイズアップを抑えつつ、強度の強いタッチプロテクトを実現することができる。
【図面の簡単な説明】
【００１５】
【図１】本発明に係るコネクタが備えられた電力ハーネスの斜視図である。
【図２】本発明に係るコネクタに関し、オス側コネクタ部とメス側コネクタ部とが分離した様子を説明する説明図である。
【図３】本発明に係るコネクタに関し、オス側コネクタ部の第１ターミナルハウジングの内部を説明する説明図である。
【図４】本発明に係るオス端子の斜視図である。
【図５】本発明の変形例に係るオス端子の斜視図である。
【発明を実施するための形態】
【００１６】
以下に、本発明に係るコネクタについて、図１乃至図４を用いて、説明する。
【００１７】
本発明に係るコネクタ２は、図１及び図２に示すように、電力ハーネス１の少なくとも一端側に設けられ、オス側コネクタ部３とメス側コネクタ部４とを嵌合させると（図１の状態）、それぞれのコネクタ部内の収納空間に備えられるオス端子５と、それと対となるメス端子６とが電気的にそれぞれ接続される。
【００１８】
なお、当該電力ハーネス１は、有毒ガスの排出を低減でき、大幅な燃料低減効果のあるＨＥＶ（Ｈｙｂｒｉｄ Ｅｌｅｃｔｒｉｃ Ｖｅｈｉｃｌｅ）を駆動するモータとインバータ間の接続に用いられ、ＨＥＶのシステムによっては１００Ａ以上の大容量の電流が通電される。
【００１９】
しかして、オス側コネクタ部３とメス側コネクタ部４との嵌合状態（図１の状態）及び非嵌合状態（図２の状態）の切り替え、つまり、メス側コネクタ部４からのオス側コネクタ部３の脱着（オス側コネクタ部３からのメス側コネクタ部４の脱着でもある）は、メス側コネクタ部４の両側部に備えられる回動軸７を中心に回動する回動レバー８によって行われる。
【００２０】
該回動レバー８が図１に示す状態、つまり、ロック部９の位置にあるときは、オス側コネクタ部３とメス側コネクタ部４とは嵌合状態にあり、一方、回動レバー８が図１に示す状態から外れたときには、つまり、ロック部９の位置から外れたときには、オス側コネクタ部３とメス側コネクタ部４とは非嵌合状態となる。なお、回動レバー８に係る動作メカニズムは、回動軸７と、オス側コネクタ部３の両側部に備えられるスライド軸１０と、回動レバー８の両側部に備えられるスライド湾曲孔１１と、メス側コネクタ部４の両側部に備えられるスライド直線孔１２によって達成される。しかして、回動レバー８により、メス側コネクタ部４にオス側コネクタ部３が引きつけられるため、容易に、オス側コネクタ部３とメス側コネクタ部４との嵌合状態（図１の状態）を達成することができる。更に、当該嵌合状態においては、コネクタ２は防水機能も発揮する。
【００２１】
次に、オス側コネクタ部３を説明する。
【００２２】
オス側コネクタ部３は、図１乃至図３に示すように、少なくとも、略直線状に配置された三個（三極）のオス端子５と、該三個のオス端子５が設けられ第１ターミナルハウジング１３の所定の収納空間Ａに収納される樹脂製の第１本体部１４と、三個のオス端子５の先端部を臨ませる第１ハウジング開口部１５を形成し三個のオス端子５及び第１本体部１４を所定の収納空間Ａに収納する第１ターミナルハウジング１３と、から構成される。
【００２３】
また、三個のオス端子５のそれぞれは、その一端部は、第１ハウジング開口部１５に臨ませる一方、その他端部は、円弧状で且つ機器側の突起部（図示しない）と係合する機器接続孔１６が形成される板状の機器側オス端子１７と接続されている（実際は、オス端子５と機器側オス端子１７とは、同じ部材で形成され一体形成となっている：図４参照）。なお、この機器側オス端子１７は、本実施形態においては、インバータ側に接続される。
【００２４】
しかして、メス端子６へ挿入されるオス端子５は、図４に示すように、嵌合方向に沿って金属板の両側を垂直に折り曲げて、横断面を略コの字状に形成され、一対の側壁部２３と、後述するメス端子６の挟持手段と接触する底部２４とからなる。これは、断面積、表面積を大きくする工夫であり、通電時の発熱軽減、通電時の熱発散性の向上に寄与している。また、オス端子５が設けられる樹脂製の第１本体部１４の損傷、変形の抑止という効果もある。さらに、オス端子５のサイズアップを抑えつつ、後述する絶縁体２６との接触面積をできるだけ大きくすることができるという効果もある。
【００２５】
また、略コの字状に形成されたオス端子５に関し、底部２４の前面２４ａの略中央部に凹部２５が形成されている。このように構成することにより、つまり、指の先端部の形状に、底部２４の前面２４ａの形状を合わせることができ、さらに、オス端子５の底部２４、及び、底部２４の前面２４ａに触れ難くすることができる。また、一対の側壁部２３の間隔は、指が挿入できない程度である。
【００２６】
また、第１ターミナルハウジング１３は、金属製、例えば、アルミ製で形成されており、その内部空間は、所定の収納空間Ａを形成している。なお、本実施形態において、所定の収納空間Ａとは、第１本体部１４の端部側から第１ハウジング開口部１５までの内部空間のことを示す。また、第１ターミナルハウジング１３には、図３に示すように、後述する突出部２９と突出部２９との間であって、又は、オス端子５とオス端子５との間であって、所定の収納空間Ａの内側に向かって突出しているガイド片３６が備えられている。このガイド片３６は、メス側コネクタ部４の収納空間に備えられているガイド溝３７（図２参照）に係合し、オス端子５とメス端子６とがスムーズに接続されるように構成されている。
【００２７】
しかして、第１ターミナルハウジング１３の機器側オス端子１７に近い側であって、外面には、取付板部２７が形成されている。なお、該取付板部２７の四隅には、機器に取り付ける際に利用可能な取付孔２８が形成されている。
【００２８】
なお、本実施形態では、第１本体部１４は、絶縁性の樹脂製であり、その全体が第１ターミナルハウジング１３に内蔵されているものを示したが、内蔵されていないものであっても良い。つまり、例えば、第１ターミナルハウジング１３が第１本体部１４の一部である端部を覆うように付設しても良い。ただ、この構成を採用する場合は、本実施形態でいうところの取付板部２７にあたる部分は、第１本体部１４の方に形成した方が良い。
【００２９】
第１本体部１４は、樹脂製であり、金型内にインサート品（オス端子５及び機器側オス端子１７）を装填した後、樹脂を注入して該インサート品を溶融樹脂で包んで固化させ、一体化するインサート成形で製造されている。
【００３０】
第１本体部１４には、オス端子５の上下方向に位置して、オス端子５の底部２４の上下面に接し、オス端子５の上下方向から挟むように突出した後述する接触抑止手段の一部である突出部２９がそれぞれ形成されている。
【００３１】
また、第１本体部１４には、振動吸収用の振動吸収マット４４が貼付されている。これにより、オス側コネクタ部３とメス側コネクタ部４との嵌合状態が、がたつき難くなる。つまり、嵌合状態の安定性に寄与している。
【００３２】
次に、タッチプロテクトを実現する接触抑止手段を説明する。
【００３３】
接触抑止手段は、図３に示すように、オス端子５をメス端子６へ挿入した際、後述する挟持手段と接触する箇所を除くオス端子５であって、少なくとも、第１ハウジング開口部１５に臨む部分から第１本体部１４に向けて、所定範囲を覆う絶縁性樹脂からなる絶縁体２６と、第１ターミナルハウジング１３の所定の収納空間Ａにおいて、オス端子５をメス端子６へ挿入した際、後述する挟持手段と接触する箇所（より詳しくは、オス端子５の底部２４の上下面）に対向する位置であって、オス端子５を上下方向から挟むように所定の収納空間Ａに突出して備えられる突出部２９と、からなる。
【００３４】
なお、絶縁体２６が覆う所定範囲に関し、本実施形態では、オス端子５の側壁部２３の前面２３ａ（図４参照）から第１本体部１４に当接するまでであった。しかし、この範囲が全てではなく、本発明と同じ効果を奏する範囲ならば、別の態様も考えられる。つまり、本実施形態の絶縁体２６より短い場合であっても良い。要するに、少なくとも、オス端子５の先端部を覆っていれば十分である場合もある。
【００３５】
突出部２９は、各オス端子５に対応して、第１本体部１４から第１ハウジング開口部１５に向けて延びるように、且つ、第１ターミナルハウジング１３の内面に沿って、第１本体部１４に備えられている。また、突出部２９は、図３に示すように、略コの字状に形成され、略コの字状の開放側が第１ターミナルハウジング１３によって塞がれる様に構成されている。また、突出部２９の一部であって、オス端子５と対向する対向面３９は、オス端子５の底部２４を覆うように、オス端子５の底部２４と略平行に配置されている。
【００３６】
また、突出部２９の先端部、より詳しくは、第１ターミナル開口部１５側の端部の前面は、側面視で、オス端子５の先端側とほぼ並んでいる。より正確には、オス端子５の底部２４の前面２４ａとほぼ並ぶように備えられている。
【００３７】
また、突出部２９の対向面３９は、絶縁体２６で覆われたオス端子５から所定距離、離間して配置されている。なお、この所定距離とは、絶縁体２６で覆われたオス端子５と突出部２９の対向面３９との間に、成人の指を横にした状態であっても、侵入できない程度である。より具体的には、５〜７ｍｍ程度である。
【００３８】
しかして、図３に示すように、オス端子５は、第１ハウジング開口部１５に臨む部分を絶縁体２６で覆われている。より詳しくは、オス端子５の挿入側の端部の一部であって、オス端子５の側壁部２３の前面２３ａを含む先端部を覆う共に、先端部以外は、外側側面２３ｂ、上面２３ｃ、下面２３ｄを絶縁体２６で覆っている。
【００３９】
また、絶縁体２６は、オス端子５の一対の側壁部２３の前面２３ａ、外側側面２３ｂ、上面２３ｃ、及び下面２３ｄであって、少なくとも、第１ハウジング開口部１５に臨む部分から第１本体部１４に向けて、所定範囲を絶縁体２６で覆い、且つ、オス端子５の底部２４の前面２４ａより、絶縁体２６で覆った一対の側壁部２３の前面２３ａの方が、所定量、突出している。なお、本実施形態では、ここでの所定量に関し、指の形状を考慮して、適宜、設定した。
【００４０】
このように構成することにより、オス端子５の底部２４の前面２４ａを絶縁体２６で覆わなくても、オス端子５の底部２４の前面２４ａに、手、指等といった異物が接触し難くすることができる。
【００４１】
以上説明した、絶縁体２６は、インサート成形によってオス端子５に密着して設けられる。なお、絶縁体２６は、前述の第１本体部１４と一体的にインサート成形されると良い。
【００４２】
ここで、本発明の要部であるオス端子５と絶縁体２６との密着性を向上させるための構成を説明する。
【００４３】
本実施形態では、図４に示すように、オス端子５の絶縁体２６と密着される面に、絶縁体２６との接触面積を広くするための溝４０が形成されている。
【００４４】
この溝４０は、側壁部２３の上面２３ｃに形成され嵌合方向に沿って波形状に形成された波溝４１と、オス端子５の外側側面２３ｂに形成され嵌合方向に垂直な垂直溝４２とからなる。波溝４１は円弧状の凹凸が嵌合方向に沿って順次繰り返されるような波形状であることが好ましく、このようにすることにより矩形状の凹凸を形成する場合に比べて絶縁体２６との接触面積を広くすることができる。
【００４５】
これら溝４１，４２は、例えば、打ち抜き加工、プレス成形により形成される。オス端子５は、金属板を打ち抜いて所定の形状とした後、その金属板の両側を折り曲げ加工にて垂直に折り曲げて形成されるが、打ち抜き加工時に予め側面が波形状になるように打ち抜き、且つ、側壁部２３の外側側面２３ｂとなる部分にプレス成形にて垂直の溝を形成しておく。その後、得られた金属板の両側を折り曲げ加工により折り曲げると波溝４１と垂直溝４２とが形成されたオス端子５が得られる。
【００４６】
波溝４１を、円弧状の凹凸が嵌合方向に沿って順次繰り返されるような波形状とすることで、接触面積の増加以外にも、打ち抜き加工時に用いる打ち抜き金型の寿命を長くできるという効果が得られる。つまり、波溝４１を形成するための金型は波溝４１と同形状となっているが、波溝４１が矩形状の凹凸の場合、金型に角部が存在するのでその角部に応力が集中して金型が破損してしまう可能性がある。一方、円弧状の凹凸を形成する金型には角部が存在しないので、金型の一部に応力が集中することがなく、金型の破損が生じにくい。
【００４７】
この溝４０は、オス端子５と絶縁体２６との密着性を向上させ、絶縁体２６に異物が触れたときに加わる力により、絶縁体２６がオス端子５から剥離するのを防止するためのものである。この効果は、溝４０によるオス端子５と絶縁体２６との接触面積の増加、及び溝４０の形状によって達成される。
【００４８】
つまり、オス端子５と絶縁体２６との接触面積の増加によってアンカー効果が得られ、オス端子５と絶縁体２６との良好な密着性を得ることができる。
【００４９】
また、絶縁体２６に異物が触れたときには絶縁体２６が側壁部２３の前面２３ａ側から第１本体部１４に向けて剥離するような力が加わるが、このとき嵌合方向に平行な溝だと剥離する力が嵌合方向に沿って伝達して剥離が容易に進行してしまい、タッチプロテクトとしての機能を十分に果たせない場合がある。これに対して、本実施形態の溝４０は、上面２３ｃに形成された波溝４１と、外側側面２３ｂに形成された垂直溝４２とで構成されるため、絶縁体２６に力が加わったとしても絶縁体２６が波溝４１と垂直溝４２とに引っかかり剥離の進行を抑制することができる。
【００５０】
この溝４０の構成としては、上述の波溝４１と垂直溝４２とに限定されず、様々な形状の溝で構成することが可能である。
【００５１】
例えば、図５（ａ）に示すように、側壁部２３の外側側面２３ｂに、交差する複数の異方向溝５０を形成して溝４０を構成しても良い。この異方向溝５０は、異方向溝５０に対応する凸部が形成された金型を、側壁部２３の外側側面２３ｂとなる金属板の側面に押し付けることにより形成すると良い。
【００５２】
また、図５（ｂ）に示すように、側壁部２３の外側側面２３ｂに、嵌合方向に沿って断続的に形成された凹溝５１を形成して溝４０を構成しても良い。この凹溝５１も折り曲げ加工前に予め金型を押し付けるなどして形成すると良い。
【００５３】
また、図５（ｃ）に示すように、側壁部２３の上面２３ｃに、嵌合方向に沿って断続的に形成された円弧状の凹溝５２を形成して溝４０を構成しても良い。この凹溝５２は、凹溝５２に対応した形状の金型で金属板を打ち抜いてオス端子５を形成することにより得られる。
【００５４】
なお、図５（ａ）〜（ｃ）では、オス端子５の形状を模式的に描いている。
【００５５】
次に、メス側コネクタ部４を説明する。
【００５６】
メス側コネクタ部４は、図２に示すように、少なくとも、三個のオス端子５と対となる三個のメス端子６と、三個のメス端子６の端部をそれぞれ臨ませる三つのメス端子開口部１８を形成すると共に三個のメス端子６をそれぞれの所定の収納空間へ収納するメス端子ボックス１９と、三個のメス端子６及びメス端子ボックス１９が設けられる第２本体部（図示しない）と、三個のメス端子開口部１８を臨ませる第２ハウジング開口部２０を形成すると共にメス端子ボックス１９及び第２本体部（図示しない）を所定の収納空間に収納する第２ターミナルハウジング２１と、から構成される。
【００５７】
また、メス端子ボックス１９は、樹脂製であり、三個のメス端子６をそれぞれ収納することができる三つの収納空間が形成されている。つまり、本実施形態でいうところのメス端子ボックスとは、少なくともメス端子を収納する収納空間を複数形成している構成ならば、何でも良い。
【００５８】
また、メス端子６は、一端部には、電線２２が接続されている。接続される電線２２は、耐熱性及び耐油性に優れた電線であり、例えば、中心導体（銅、又はアルミ）−絶縁体（架橋ポリエチレン）−シールド−シールの構成で構成されている。なお、メス端子６の本体は、略箱状に形成され、その内部には、オス端子５を上下方向から挟持する挟持手段（図示しない）を備えている。
【００５９】
また、第２ターミナルハウジング２１は、金属製、例えば、アルミ製で形成されている。なお、上述した第１ターミナルハウジング１３と第２ターミナルハウジング２１とは、オスとメスの関係であり、本実施形態においては、第１ターミナルハウジング１３の方がオス側ターミナルハウジングであり、一方、第２ターミナルハウジング２１の方は、メス側ターミナルハウジングである。
【００６０】
以上説明した、コネクタ２によれば、例え、絶縁体２６が薄くても、溝４０の効果により、オス端子５と絶縁体２６との密着性に優れた技術を提供することができ、オス端子５のサイズアップを抑えつつ、強度の強いタッチプロテクトを実現することができる。
【００６１】
なお、本発明の思想は、断面コの字状のオス端子５だけではなく、通常用いられる板状のオス端子にも適用することが可能である。
【符号の説明】
【００６２】
１ ・・・ 電力ハーネス
２ ・・・ コネクタ
３ ・・・ オス側コネクタ部
４ ・・・ メス側コネクタ部
５ ・・・ オス端子
６ ・・・ メス端子
７ ・・・ 回動軸
８ ・・・ 回動レバー
９ ・・・ ロック部
１０・・・ スライド軸
１１・・・ スライド湾曲孔
１２・・・ スライド直線孔
１３・・・ 第１ターミナルハウジング
１４・・・ 第１本体部
１５・・・ 第１ハウジング開口部
１６・・・ 機器接続孔
１７・・・ 機器側オス端子
１８・・・ メス端子開口部
１９・・・ メス端子ボックス
２０・・・ 第２ハウジング開口部
２１・・・ 第２ターミナルハウジング
２２・・・ 電線
２３・・・ 側壁部
２４・・・ 底部
２５・・・ 凹部
２６・・・ 絶縁体
２７・・・ 取付板部
２８・・・ 取付孔
２９・・・ 突出部
３６・・・ ガイド片
３７・・・ ガイド溝
３９・・・ 対向面
４０・・・ 溝
４１・・・ 波溝
４２・・・ 垂直溝
４４・・・ 振動吸収マット
５０・・・ 異方向溝
５１・・・ 凹溝
５２・・・ 凹溝
【図３】
0005516174.tif 000002
【図４】
0005516174.tif 000003
【図５】
0005516174.tif 000004
【図１】
0005516174.tif 000005
【図２】
0005516174.tif 000006